(57)【特許請求の範囲】
【請求項１】
一定の日付領域枠横幅と日付領域枠縦幅で構成した日付領域枠を連続して立体状の円柱側面に沿って螺旋状に配置してなるカレンダー本体と、前記カレンダー本体の円柱側面に沿って配置され当該カレンダー本体の周りを回動し且つ順番に連番を付してなる日数領域枠を複数有する日数表とを備え、
前記カレンダー本体の日付領域枠は、縦（列）方向に曜日を統一させ、縦（列）方向は１４等分するように１５本の縦線を引き、横（行）方向は２７等分するように２８行罫線を引き、カレンダー本体の罫線（ｎ）行目終点とカレンダー本体の罫線（ｎ＋１）行目始点の位置が水平線上で同じとなるように順次並べることにより斜めの罫線ができ、上の罫線の終点と下の罫線の始点が接するような形で貼り円柱を作り立体化して螺旋状を形成し、
前記日数表は透明で印刷可能なフィルムから構成され、前記日数表に摘み枠を作りその内枠に年号を入れ、
前記カレンダー本体の日付領域枠に行事を記入し、本日の月日に前記日数表の本日と書かれた日数領域枠を重ねると、記入された行事までの日数が瞬時にわかる、又は前記日数表の当日と書かれてある日数領域枠を記入された行事の月日に重ねると、当日すなわち記入された行事の月日までの日数が瞬時にわかることを特徴とする螺旋状カレンダー。
【請求項２】
前記カレンダー本体の日付領域枠は、上段３分の１に月日欄と曜日欄を設け、中段３分の１に祝日・行事欄と六曜欄を設け、下段３分の１に空欄又は予備記入欄を設けたことを特徴とする請求項１に記載の螺旋状カレンダー。
【請求項３】
前記カレンダー本体の罫線に月の区切りを付けるための月別枠線を引き、前記月別枠線を太線にする又は色分けしたことを特徴とする請求項１又は請求項２に記載の螺旋状カレンダー。
【請求項４】
前記カレンダー本体の日付領域枠にどの日付領域枠からでも切り取りが出来るように日付領域枠の全てにミシン目を入れておくことを特徴とする請求項１乃至請求項３のいずれか１項に記載の螺旋状カレンダー。
【発明の詳細な説明】
【技術分野】
【０００１】  本発明は日数と月日が１工程で分かるカレンダーに関するものである。
【背景技術】
【０００２】  従来のカレンダーは日捲り、月捲り、２ケ月捲り、年間で平面になっている物が一般的であった。従来の月捲り及び年間カレンダーは１行を１週間や１ケ月で区切っていて、１ケ月ごとで１つの表形式になっていた。【０００３】  一方、万年カレンダーのようなものが提案されている。即ち、それぞれパイプ状に形成された月群分類表示体１と曜日表示体２と日付表示体３と、カレンダーの組立または分解操作をするための蓋体５と、その蓋体５に突設された軸棒４とを備えて成る円筒状のカレンダーであって、前記曜日表示体２を、帯輪状に設けた曜日表示筒部２１と、他の２個の表示体内に嵌入可能な中心筒部２３とにより形成して、月群分類表示体１と日付表示体３をその中心筒部２３に添って回動させるようにするとともに、カレンダー内に貫設された軸棒４の先端部を、月群分類表示体１内に嵌脱可能に構成したものである。（特許文献１参照）【０００４】  これにより、年度が変わっても月群分類表示体と日付表示体を筒部に添って回動することにより毎年使用可能であった。
【先行技術文献】
【特許文献】
【０００５】
【特許文献１】特開２００１−３１８６０２号公報
【発明の概要】
【発明が解決しようとする課題】
【０００６】  従来の月捲り及び年間カレンダーでは、日数を調べる時、その日数を目視で計算するのが一般的であった上、月が替わる度に各月表形式に並んでいる数字の始まりの曜日位置が異なっているため、その都度目視で計算していくという作業が必要であった。即ち、月ごとの日数が異なることによる前月との規則性が異なるため、替わる月に目を移して数えなければいけないという課題があった。【０００７】  また、万年カレンダーと呼ばれるカレンダーもあるが、このカレンダーはあくまでも通常の月別カレンダーの１ケ月分を円柱にして月と曜日を回転させることにより組み替え合わせているカレンダーであり、この万年カレンダーも１行が１週間ごとになっており日数の連動性がなくその都度同じカレンダー上で数え直さなければならない為、日数を数える事には適していない。
【課題を解決するための手段】
【０００８】
そこで本発明の請求項１に記載の発明は、一定の日付領域枠横幅と日付領域枠縦幅で構成した日付領域枠を連続して立体状の円柱側面に沿って螺旋状に配置してなるカレンダー本体と、前記カレンダー本体の円柱側面に沿って配置され当該カレンダー本体の周りを回動し且つ順番に連番を付してなる日数領域枠を複数有する日数表とを備え、前記カレンダー本体の日付領域枠は、縦（列）方向に曜日を統一させ、縦（列）方向は１４等分するように１５本の縦線を引き、横（行）方向は２７等分するように２８行罫線を引き、カレンダー本体の罫線（ｎ）行目終点とカレンダー本体の罫線（ｎ＋１）行目始点の位置が水平線上で同じとなるように順次並べることにより斜めの罫線ができ、上の罫線の終点と下の罫線の始点が接するような形で貼り円柱を作り立体化して螺旋状を形成し、前記日数表は透明で印刷可能なフィルムから構成され、前記日数表に摘み枠を作りその内枠に年号を入れ、前記カレンダー本体の日付領域枠に行事を記入し、本日の月日に前記日数表の本日と書かれた日数領域枠を重ねると、記入された行事までの日数が瞬時にわかる、又は前記日数表の当日と書かれてある日数領域枠を記入された行事の月日に重ねると、当日すなわち記入された行事の月日までの日数が瞬時にわかることを特徴とする。
【０００９】
また、請求項２に記載の発明は、請求項１に記載の前記カレンダー本体の日付領域枠は、上段３分の１に月日欄と曜日欄を設け、中段３分の１に祝日・行事欄と六曜欄を設け、下段３分の１に空欄又は予備記入欄を設けたことを特徴とする。
【００１０】
また、請求項３に記載の発明は、請求項１又は請求項２に記載の前記カレンダー本体の罫線に月の区切りを付けるための月別枠線を引き、前記月別枠線を太線にする又は色分けしたことを特徴とする。

【００１１】
また、請求項４に記載の発明は、請求項１乃至請求項３に記載の前記カレンダー本体の日付領域枠にどの日付領域枠からでも切り取りが出来るように日付領域枠の全てにミシン目を入れておくことを特徴とする。
【発明の効果】
【００１３】  上記の課題解決手段をつかうことにより、万人が簡単に１工程で日数と月日が確認できるカレンダーになる。螺旋状カレンダーでは螺旋状かつ立体にすることにより所定期間の、例えば１年間の連動性を持たせることが出来る。また、その側面に同じ螺旋状にした文字の書ける透明紙を重ねて回転させれば、本日（当日）と重ねた月日からの日数がわかる。また、立体にすることにより  机の上等に置くと卓上カレンダーとなり、即座に調べたい月日や日数を調べる事が出来、その状態で保管すれば何時でも直近に調べた月日や日数を確認及び認知できる。さらに、螺旋状カレンダーを、上下に伸縮自由な蛇腹状にする事により、その都度必要としない日付領域枠の箇所を縮めてコンパクトに保管し、必要な時に伸ばして調べる事も出来る。また、人間の眼は左上から右下に動かす習性があり、日ごとに右に下がっていく事で自然な眼の動きに対応している。【００１４】  螺旋状カレンダーの月日の領域枠に行事を記入し、螺旋状カレンダーの本日の月日に日数表２の本日と書かれた領域枠を重ねると、記入された行事までの日数が、また、螺旋状カレンダーに別の日数表２の当日と書かれてある領域枠を記入された行事の月日に重ねると、当日すなわち記入された行事の月日までの日数が瞬時にわかる。また、重なり合っている各領域枠全ての月日と日数も同時にわかり、その行事までの途中の計画も立てやすいという効果がある。前記とは逆に本日からの日数がわかっていて月日を調べる時には日数表の日数を見ると月日がわかり行事を記入する。また、楕円形にすることにより正面から見た場合、半年分を一目で見ることができるという効果を有する。
【図面の簡単な説明】
【００１５】
【図１】本発明の螺旋状カレンダーと螺旋状日数表の外観図
【図２】本発明の螺旋状カレンダーの平面図
【図３】本発明の螺旋状カレンダーの１領域枠を表す図
【図４】本発明の螺旋状日数表の平面図
【図５】本発明の螺旋状日数表の平面図
【図６】本発明の螺旋状日数表の１領域枠を表す図
【図７】本発明の螺旋状カレンダーの斜視図
【図８】本発明の螺旋状日数表の斜視図
【図９】本発明の螺旋状カレンダーに螺旋状日数表を重ねた斜視図
【図１０】本発明の本年と次年の螺旋状カレンダーに螺旋状日数表を重ねた斜視図
【図１１】特許公開２００１−３１８６０２  円筒型万年カレンダーの斜視図
【発明を実施するための形態】
【００１６】  以下、本発明を実施するための形態について説明する。
【実施例】
【００１７】  図１は本発明の螺旋状カレンダーの外観図である。１はカレンダー本体、２は日数表である。日数表２はカレンダー本体１の側面に沿って配置し、カレンダー本体１の周りを回動するようになっている。そして、日数表２はカレンダー本体１に対して摩擦力で支えられており、かつ、手で動かせる程度にカレンダー本体１と重なり合うようにしてある。本実施例では図１のカレンダー本体１を円柱にしている。【００１８】  次に図２〜図６を用いて螺旋状カレンダーの詳細を説明する。図２は図１のカレンダー本体１を平面に広げた図である。本実施例では図２の螺旋状カレンダーを年間カレンダーとし、縦横の枠のバランスを考慮し２週間を１行にすると仮定している。この仮定時は少なくとも３６５日以上の日付領域枠を要する。縦（列）方向に曜日を統一させ、縦（列）方向は１４等分するように１５本の縦線を引く。従って横（行）方向は２７等分するように２８行罫線を引くことにより、３７８枠の日付領域枠が出来、３６５日の日付領域枠を確保出来る。罫線１行目は左端最上行即ちカレンダー本体１の罫線１行目始点３より、右端最上行即ちカレンダー本体１の罫線１行目終点４まで罫線を引く。罫線２行目はカレンダー本体１の罫線２行目始点５から始まり、カレンダー本体１の罫線２行目終点６まで罫線を引く。罫線を引くにあたり１日分の日付を記載する領域枠を日付領域枠横幅１０と日付領域枠縦幅１１により構成し、カレンダー本体１の罫線１行目始点３からカレンダー本体１の罫線１行目終点４に至る過程で日付領域枠縦幅１１の幅だけ斜め右下がりになるようにしてある。従って、カレンダー本体１の罫線１行目終点４とカレンダー本体１の罫線２行目始点５の位置が、カレンダー本体１の罫線２行目終点６とカレンダー本体１の罫線３行目始点７が水平線上で同じとなる。即ち、最上行の日付領域枠横幅１０を順次並べることにより、斜めの罫線ができる。これにより螺旋状を形成するようにしてある。【００１９】  上の罫線の終点と下の罫線の始点が同じ高さになるように１年間分２８行斜線を引き、カレンダー本体１の罫線終着点８まで日付領域枠をつくる。本実施例では、縦（列）方向左端枠を日曜日とし、右端枠を２週間目の土曜日として配置する。よって、３７８の日付領域枠からなる為、１月１日を含む週の前年度最後の日曜日の日付を左端最上枠に記し、右端最下枠は、次年度２週目の土曜日（１２月３１日が土曜日の時は次年度最初の土曜日）を記す。そして日付領域枠の左端から２週間分の日付を割り付け、２週間以降は次行に移り前行と同様に日付領域枠の左端から日付を割り付ける。そして、月の区切りを付ける為に罫線に月別枠線９の太線を引くか色分け等する。その上で土、日、祝日に色を付けるか背景を色分けして週末の区別をし、六曜ごとにも枠の縁を色分け等して六曜別に分かり易くする。用途により、不要になった過去の日付領域枠を簡単にどの領域枠線からでも切り取りが出来るように各領域枠線全てにミシン目を入れておく。【００２０】  また図２は暦の年度１年間のカレンダーであるが、会社や学校関係は４月から新たな年や学年になる所が多いので、４月１日から１年間の螺旋状カレンダーを作ってもよい。
以上がカレンダー本体１の構成である。【００２１】  図３は図２の１枠を拡大した図であり、図２の日付領域枠横幅１０ないし日付領域枠縦幅１１が図３の日付領域枠横幅１０ないし日付領域枠縦幅１１と同じ長さである。図３は１例として上段３分の１の月日欄１２に月日を、曜日欄１３に曜日を記し、中段３分の１の祝日・行事欄「○○○」１４は祝日を記すか空欄にしておき、各自で行事予定を書くか別に用意してシールを貼り、六曜欄１５には六曜を記す。下段３分の１は、日数表２が重なる為、空欄にしておくか行事予定等の予備記入欄にする。また、罫線の角度に合わせて文字位置を垂直方向にずらしてある。【００２２】  図４ないし図５は図１の日数表２を平面に広げた図である。透明で印刷可能なフィルムに図２のカレンダー本体１の罫線１行目始点３とカレンダー本体１の罫線１行目終点４と同じ角度と長さで日数表２の罫線１行目始点１７より日数表２の罫線１行目終点１８まで罫線を引く。図２の日付領域枠横幅１０ないし日付領域枠縦幅１１と同じ幅と同じ角度で日数領域枠横幅２８ないし日数領域枠縦幅２９の領域枠を作る。すなわち図２で説明したのと同じく日数表２の罫線１行目始点１７から日数表２の罫線１行目終点１８に至る過程で日数領域枠縦幅２９の距離だけ斜め右下がりになるようにしてある。従って、日数表２の罫線１行目終点１８と日数表２の罫線２行目始点１９の位置が、日数表２の罫線２行目終点２０と日数表２の罫線３行目始点２１の位置が水平線上で同じとなる。以上の形で本実施例では日数表２を１例として１００日を基準に作っている為、８行の日数領域枠を必要とし、罫線９行目の罫線終着点２２まで引く。そして図２と同じ形で横の列を１列２週間分１４等分して１５本の縦線を引き各領域枠に図４ないし図５で記してある日数３０を左上から右下に順番に割り付け、２週間以降は次行に移り前行と同様に日数領域枠の左端から日数を割り付ける。また週ごとの領域枠は週数３１の文字で記す。（図４は１例で左上３日前から８行右下１０８日後までに図５は左上１１１日前から８行右下当日までとなっている）そして日数表２を回転させて調べる時、カレンダー本体１との摩擦で日数表２が回転しにくくなる事がある為、日数表２の罫線１行目終点１８の延長上に日数表２の行線１行目終点２３ないし日数表２の罫線終着点２２の延長上に日数表２の行線９行目終点２４を作り日数表２の行線１行目終点２３と行線９行目終点２４を直線で引き、摘み枠２６を作り、その内枠に年号を入れる。日数表２と摘み枠２６が曲げて利用出来るように日数表２と摘み枠分離線２５にミシン目を入れる。また図４で基準となる本日と書かれてある日数領域枠の上に本日の目印を、図５では基準となる当日と書かれてある日数領域枠の下に当日の目印を日数表見出し枠２７の中に作る事により基準となる場所が瞬時にわかり回転させる事が出来る。また、本日や当日等の基準となる日数の文字や日数領域枠の縁に色を付けて分かりやすくしても良い。【００２３】  図６は図４ないし図５の１枠を拡大した図である。図４および図５の日付領域枠横幅２８ないし日付領域枠縦幅２９が図６の日数領域枠横幅２８ないし日数領域枠縦幅２９と同じ長さである。図６の日数３０は図２と重なり合う為下段３分の１に書く。従って、カレンダー本体１と重ねることにより図６の文字が記載されている日数領域枠３２が、図３の日付領域枠１６と重なるようになり、図３の下部３分の１の位置に図６の文字が来ることになる。また、図３同様、罫線の角度に合わせて文字位置を垂直方向にずらしてある。【００２４】  図７は図２のカレンダー本体１の罫線１行目終点４とカレンダー本体１の罫線２行目始点５を、カレンダー本体１の罫線２行目終点６とカレンダー本体１の罫線３行目始点７を接するように、以下、上の罫線の終点と下の罫線の始点が接するような形で貼り円柱を作り立体化させた図である。また、立体化させた時点で取り外し可能なカレンダー本体台３３を底につけ、倒れないようにする。この円柱が完成することにより、カレンダー本体１の罫線１行目始点３よりカレンダー本体１の罫線終着点８までが１本の線で結ばれ、日付領域枠も螺旋状になる。またカレンダー本体１をその都度目に留めている月日の上下左右の広い範囲の日付領域枠を見ることができる【００２５】  図８も図７と同様に図４ないし図５の日数表２の罫線１行目終点１８と日数表２の罫線２行目始点１９を、日数表２の罫線２行目終点２０と日数表２の罫線３行目始点２１を接するように以下、上の罫線の終点と下の罫線の始点が接するような形で貼り円柱を作り立体化させた図である。また、図４ないし図５で説明した日数表２と摘み枠２６のミシン目が入っている分離線２５を曲げることにより図８の摘み枠２６となる。【００２６】  図９は図７のカレンダー本体１の外側に図８の日数表２を重ねた図である。重ねる事により上部３分の１に月日と曜日、中段３分の１に祝日・行事と六曜が記された日付領域枠１６が下部３分の１に日数が記された日数領域枠３２と重なり合う。そして摘み枠２６を手で掴み、日数表２の基準となる日数表２の見出し枠２７の下の本日という箇所を見て動かすとそれに伴い日数表２全体が動き本日となっている月日からの日数と月日が、日数表２の図５を重ねると当日に合わせた日までの日数が瞬時にわかると同時に、重なり合っている各領域枠全ての月日と日数もわかる。上記のように外側の日数表２を内側のカレンダー本体１の起点となる月日に持って来ることにより目的の日までの日数や月日を瞬時に調べることが出来、戻すことも容易に出来る。また本日からの日数がわかっていて月日を調べる時には、カレンダー本体１の本日の月日に日数表の本日の枠を重ねて日数を見ると月日がわかる。【００２７】  図１０は年が後半になり次年のカレンダー本体１が作られてからの時に本年のカレンダー本体１で書いた図９の次年の１月１日以降となる月別枠線９の線を切り取り本年のカレンダー本体１を次年のカレンダー本体の外側に重ね、本年の螺旋状カレンダーの１２月３１日の次の枠が次年の螺旋状カレンダーの１月１日になるように設置し、その上から日数表２を重ねる。そして日数表２が全て次年の螺旋状カレンダーに重なる時に以前（本年）の螺旋状カレンダーを次年の螺旋状カレンダーから抜き取る。それに伴い日数表も摘み枠に次年の年号が書かれてある新しい日数表に取り替える。このように１年に１度新しい螺旋状カレンダー及び日数表を入れ替えることに���り、年間単独ではなく年を跨いで連結性が生まれ半永久的に本発明の螺旋状カレンダーが利用出来る。【００２８】  月日の文字を見やすくする為、本実施例では行事欄「○○○」や予備記入欄を設けているが、その行事は日付領域枠の文字がわかる程度に透明シールに印字するか書き込んで日付領域枠の上に貼り、その分月日の文字を大きくし、日数も重なる内側の文字がわかる程度に白抜き文字にする等して日数領域枠内で文字を大きくしても構わない。【００２９】  日付領域枠及び日数領域枠の枠線は、カレンダー作成過程では均等に配置する為必要であるが、月日及び日数等の文字の記入後、目安とはなるが日付枠と日数枠の枠線のずれを無くす為、不要ならば枠線を省略してもよい。【００３０】  日数表は透過型で構成されており、特徴的な日付、例えば祝日や自分の誕生日や仕事上の大事な日には同じく透過型の色付のシールを貼ることにより、それら特徴的な日が瞬時にわかる。【００３１】  本発明の螺旋状カレンダーは閏年の場合は３６６日のカレンダー本体にすることにより日数を数えることができる。【００３２】  また、本発明の螺旋状カレンダーは実体上の円柱で説明したが、立体的な構成として、例えば楕円形状にしても構わない。この時は楕円形状の側面に沿って透過型の日数表を重ねる。また、カレンダー本体との日付枠の枠線のずれを無くす為、日付枠は設けなくても対応可能である。【００３３】  さらに、本発明の螺旋状カレンダーはコンピューターや携帯電話上のイメージ空間で構成しても同様の効果ができる。コンピューター上では色付けや日付枠内に記載する内容を多くすることも可能である。即ち、実体上では大きさが決まってくるが、コンピューター上では日付枠内を見るときには瞬時に拡大してみることができるからである。コンピューター上では大きさの制限がないため、円柱形ではなく、扁平型の楕円形で構成してもよく、更に広げて一見、平面状に見えるような形など自在に変形しても構わない。
【産業上の利用可能性】
【００３４】  以上説明してきたように、カレンダーを見ることにより、その日の暦に関することがすぐにわかるとともに、経過日数が即座にわかり、仕事等の計画を進めていくうえで認識する時間を短縮できるという産業所利用価値の高いものである。
【符号の説明】
【００３５】１    カレンダー本体
２    日数表
３    カレンダー本体罫線１行目始点
４    カレンダー本体罫線１行目終点
５    カレンダー本体罫線２行目始点
６    カレンダー本体罫線２行目終点
７    カレンダー本体罫線３行目始点
８    カレンダー本体罫線２８行目終点
９    月別枠線
１０  カレンダー本体日付領域枠１枠の横幅
１１  カレンダー本体日付領域枠１枠の縦幅
１２  カレンダー本体の月日欄
１３  カレンダー本体の曜日欄
１４  カレンダー本体の祝日・行事記入欄
１５  カレンダー本体の六曜欄
１６  カレンダー本体日付領域枠１枠
１７  日数表罫線１行目始点
１８  日数表罫線１行目終点
１９  日数表罫線２行目始点
２０  日数表罫線２行目終点
２１  日数表罫線３行目始点
２２  日数表罫線９行目終点
２３  行線１行目終点
２４  行線９行目終点
２５  日数表と摘み枠の分離線
２６  摘み枠
２７  日数表見出し枠
２８  日数表日数領域枠１枠の横幅
２９  日数表日数領域枠１枠の縦幅
３０  日数表の日数欄
３１  日数表の週数欄
３２  日数表日数領域枠１枠
３３  カレンダー本体台
【要約】
【課題】  カレンダーで目的の日までの日数を調べる時、その日数を目視で計算するのが一般的であり、月が替わる時は月ごとに表形式に並んでいる数字の始まりの曜日位置が異なっている為、その都度目視で計算していくという作業が必要であった。
【解決手段】  日付領域枠を連続して螺旋状に配置してなるカレンダー本体と、前記カレンダー本体の前記日付領域枠に対応するように配置される日数表とからなり、前記日数表には連番を付してなり、万人が簡単に１工程で日数と月日が確認できるカレンダー。
【選択図】図９【図１】
0005577448.tif 000002
【図２】
0005577448.tif 000003
【図３】
0005577448.tif 000004
【図４】
0005577448.tif 000005
【図５】
0005577448.tif 000006
【図６】
0005577448.tif 000007
【図７】
0005577448.tif 000008
【図８】
0005577448.tif 000009
【図９】
0005577448.tif 000010
【図１０】
0005577448.tif 000011
【図１１】
0005577448.tif 000012